(57)【要約】      （修正有）【課題】Ｕ字形繊維の放出機構を伴う塞栓コイル配給システムを提供する。【解決手段】本発明の配給システム１０は体内の一定の脈管の中の所定の部位に、一定の塞栓コイル等のような、一定の塞栓装置を配置するための医療装置であり、一定の配給カテーテル１２および当該カテーテルの内孔部の中に摺動自在に配置されている一定の柔軟なプッシャー部材１６を含む。一定の塞栓装置２４がそのプッシャー部材の先端部の中に放出可能に配置されていて、一定のＵ字形の先端部分を伴う一定の分離用の繊維３８によりその位置が保持されている。上記塞栓装置が一定の脈管の中の所定の部位に進行すると、上記分離用の繊維がその塞栓装置から分離することによりその塞栓装置が放出される。【選択図】図１
2006051349.tif 000002
【特許請求の範囲】
【請求項１】
一定の血管の中の所定の部位に一定の塞栓装置を配置することにおいて使用するための脈管閉塞用の塞栓装置配備システムにおいて、
基端部および先端部および内部に延在している一定の内孔部を有する一定の細長い柔軟なカテーテル、
基端部および先端部および内部に延在している一定の内孔部を有していて前記カテーテルの内孔部の中に摺動自在に配置されている一定の細長いプッシャー部材、
基端部および先端部を有していて、その基端部の中に配置されている一定のヘッドピースを有する一定の塞栓装置を備えており、このヘッドピースがその中を通る一定の孔を有していて、前記プッシャー部材の先端部の中に摺動自在に配置されており、さらに
一定の細長い分離用の繊維を備えており、この分離用の繊維が一定の予備造形された形態を維持するために十分に剛性であるが基端側に引っ張られる時に一定の概ね直線状の形態に戻る一定の先端側の部分を含み、この分離用の繊維の先端部分が一定の概ねＵ字形の形態に形成されており、この分離用の繊維が前記プッシャー部材の基端部の基端側の一定の位置から当該プッシャー部材の内孔部の中を貫通していて前記塞栓装置のヘッドピースの中の孔を貫通しているＵ字形の先端部分を有しており、これにより、この分離用の繊維が、当該分離用の繊維が基端側に引っ張られる時にそのＵ字形の先端部分が直線状になって前記塞栓装置を放出するように、その塞栓装置に連結している脈管閉塞用の塞栓装置配備システム。
【請求項２】
一定の血管の中の所定の部位に一定の塞栓装置を配置することにおいて使用するための脈管閉塞用の塞栓装置配備システムにおいて、
基端部および先端部および内部に延在している一定の内孔部を有する一定の細長い柔軟なカテーテル、
基端部および先端部および内部に延在している一定の内孔部を有していて前記カテーテルの内孔部の中に摺動自在に配置されている一定の細長いプッシャー部材、
基端部および先端部を有していて前記プッシャー部材の先端部の中に摺動自在に配置されている一定の塞栓装置、および
一定の分離用の繊維を備えており、この分離用の繊維が当該繊維に一定の外部の引張力が加えられるまで一定の予備造形された形態を維持する特性を示す一定の先端部分を有しており、この分離用の繊維が前記細長いプッシャー部材の内孔部の中を貫通していて一定のＵ字形の形態に予備造形されている一定の先端部分を有しており、このＵ字形の先端部分が、前記繊維が基端側に引っ張られる時にそのＵ字形の先端部分が直線状になって前記塞栓装置を放出するように、前記塞栓装置に放出可能に連結している脈管閉塞用の塞栓装置配備システム。
【請求項３】
前記塞栓装置がその内部に一定の孔を有していて当該塞栓装置の基端部に連結している一定のヘッドピースを含み、前記分離用の繊維が前記プッシャー部材の基端部の基端側の一定の位置から、当該プッシャー部材の内孔部の中を貫通しており、前記Ｕ字形の先端部が前記塞栓装置のヘッドピースの中の孔を貫通していることにより前記分離用の繊維をその塞栓装置に連結している請求項２に記載の脈管閉塞用の塞栓装置配備システム。
【請求項４】
内部に延在している一定の内孔部を有する一定の解除可能なクランプが前記プッシャー部材の基端部に取り付けられていて、前記分離用の繊維がそのクランプの内孔部の中を貫通しており、そのクランプの解除時に、前記分離用の繊維を基端側に引っ張ることにより前記塞栓装置を放出できる請求項２に記載の脈管閉塞用の塞栓装置配備システム。
【請求項５】
一定の突出部が前記塞栓装置の基端側の一定の位置において前記プッシャー部材の内孔部の一定の壁部から内側に延出していて前記塞栓装置が基端側に移動することを阻止する請求項２に記載の脈管閉塞用の塞栓装置配備システム。
【請求項６】
前記繊維の先端部分がプラチナにより構成されている請求項２に記載の脈管閉塞用の塞栓装置配備システム。
【請求項７】
前記分離用の繊維が一定の可変の剛性材料により構成されている請求項２に記載の脈管閉塞用の塞栓装置配備システム。
【請求項８】
一定の血管の中の所定の部位に一定の塞栓装置を配置することにおいて使用するための脈管閉塞用の塞栓装置配備システムにおいて、
基端部および先端部および内部に延在している一定の内孔部を有する一定の細長い柔軟なカテーテル、
基端部および先端部を有していて前記カテーテルの内孔部の中に摺動自在に配置されている一定の細長いプッシャー部材、
基端部および先端部を有していて前記プッシャー部材の先端部に配置されている一定の塞栓装置、および
一定の分離用の繊維を備えており、この分離用の繊維が当該繊維に一定の外部の引張力が加えられるまで一定の予備造形された形態を維持する特性を示す一定の先端部分を有しており、この分離用の繊維が前記カテーテルの内孔部の中を貫通していて一定のＵ字形の形態に予備造形されている一定の先端部分を有しており、このＵ字形の先端部分が、前記繊維が基端側に引っ張られる時にそのＵ字形の先端部分が直線状になって前記塞栓装置を放出するように、前記塞栓装置に放出可能に連結している脈管閉塞用の塞栓装置配備システム。
【発明の詳細な説明】
【技術分野】
【０００１】
関連出願に対するクロス−リファレンス
本特許出願は２００４年７月３０日に出願されている米国仮特許出願第６０／５９２，９０１号による優先権を主張している。
【背景技術】
【０００２】
本発明は一定の脈管の中の所定の部位に一定の塞栓コイル等のような一定の塞栓装置を配置するための医療装置に関連しており、特に、一定の塞栓コイルを配給するためのカテーテルに基づく配備システムに関連している。この装置は特に人間の脳の曲がりくねった脈管を通してその脈管の所定の部位まで一定の塞栓コイル等のような塞栓装置を移動することに適している。
【０００３】
多年にわたり、柔軟なカテーテルが人体の脈管の中に種々の装置を配置するために用いられてきた。これらの装置は拡張用のバルーン、放射線不透過性の流体、液体の薬物、および種々のバルーンおよび塞栓コイル等のような閉塞装置を含む。また、これらのカテーテルに基づく装置の例が「メソッド・アンド・アパレイタス・フォー・プレイスメント・オブ・アン・エンボリック・コイル（Method And Apparatus For Placement Of An Embolic Coil）」を発明の名称とする米国特許第５，１０８，４０７号、および「エンドバスキュラー・エレクトロリティカリー・デタッチャブル・ガイドワイヤ・ティップ・フォー・エレクトロフォーメーション・オブ・スロンバス・イン・アーテリーズ，ベインズ，アニューリズムズ，バスキュラー・マルフォーメーションズ・アンド・アーテリオベナス・フィスチュラズ（Endovascular Electrolytically Detachable Guidewire Tip For The Electroformation Of Thrombus In Arteries, Veins, Aneurysms, Vascular Malformations And Arteriovenous Fistulas）」を発明の名称とする米国特許第５，１２２，１３６号において開示されている。これらの特許は種々の動脈瘤を治療するか、あるいは、特定の場所における一定の血管を閉塞するために人体の一定の脈管の中の所定の位置に種々の塞栓コイルを配給するために設計されている種々のカテーテルに基づく装置を開示している。
【０００４】
種々の脈管の中に配置されるコイルは螺旋状に巻かれたコイルの形態を採ることができ、あるいは、不規則に巻かれたコイル、コイルの中に巻かれているコイルまたはその他の類似のコイル構成の形態を採ることもできる。このような種々のコイルの形態の例が「バスキュラー・オクルージョン・アセンブリー（Vascular Occlusion Assembly）」を発明の名称とする米国特許第５，３３４，２１０号、および「バソオクルージョン・コイル・ウィズ・アタッチド・チューブラー・ウーブン・オア・ブレイデッド・フィブラス・カバリング（Vasoocclusion Coil with Attached Tubular Woven or Braided Fibrous Covering）」を発明の名称とする米国特許第５，３８２，２５９号において開示されている。これらの塞栓コイルは一般にプラチナ、金、タングステン、またはこれらの金属の種々の合金等のような一定の放射線不透過性の金属材料により形成されている。多くの場合に、特定の部位における血栓の形成を促進することにより一定の脈管または動脈瘤における血流を閉塞するために数個のコイルがその所定の場所に配置される。
【０００５】
加えて、種々の塞栓コイルが一定のカテーテルの先端部の中に配置されていた。この場合に、カテーテルの先端部が適当に位置決めされると、コイルが一定のプッシャー部材によりそのカテーテルの端部から押し出されて脈管の所定の部位にそのコイルを放出することができる。このような塞栓コイルの配置のための方法は体内の脈管を通るコイルの移動をモニターしてそのコイルを所望の場所に配置できるようにＸ線透視による可視化により行なわれている。
【０００６】
別の方法は上記コイルを一定のガイドワイヤに取り付けるための接着剤またははんだの使用を含み、このガイドワイヤがさらにそのコイルを脈管の中の所定の部位に位置決めするための一定の柔軟なカテーテルの中に配置される。さらに、このコイルがその所定の部位に到達すると、このコイルの位置がカテーテルにより保持されて、ガイドワイヤが基端側に引っ張られることによりコイルがそのガイドワイヤから分離する。このようなコイル位置決めシステムが「コアキシャル・トラクション・デタッチメント・アパレイタス・アンド・メソッド（Coaxial Traction Detachment Apparatus and Method）」を発明の名称とする米国特許第５，２６３，９６４号において開示されている。
【０００７】
さらに別のコイル位置決め方法はコイルの基端部に結合している一定のボールを保持するために先端部に一定のソケットを伴うカテーテルを有する方法である。このボールの直径は一般に上記コイルの外径よりも大きく、カテーテルの先端部における内孔部の中のソケットの中に配置された後に、このカテーテルがコイルを所望の位置に配置するために一定の脈管の中に移動する。その後、その位置に到達すると、端部に一定のピストンを伴うプッシャー・ワイヤがカテーテルの基端部から先端側に押し込まれてそのソケットからボールを押し出すことによりコイルを所定の部位に放出される。このようなシステムが「アキシャリー・デタッチャブル・エンボリック・コイル・アセンブリー（Axially Detachable Embolic Coil Assembly）」を発明の名称とする米国特許第５，３５０，３９７号において開示されている。
【０００８】
さらに、一定の血管の中の所定の部位に一定の塞栓コイルを配置するための別の方法は上記コイルをカテーテルの先端部に保持するために一定の熱剥離可能な接着剤を使用する方法である。一例のこのようなシステムはコイルをカテーテルの端部から放出するために上記の接着剤の結合に対して熱を供給するために一定の光ファイバー・ケーブルを通して伝達されるレーザー・エネルギーを使用している。なお、このような方法は上記の米国特許第５，１０８，４０７号において開示されている。
【０００９】
さらに別のコイル配備システムは上記コイルにおける一定のインターロック機構を含む。すなわち、この塞栓コイルのインターロック用の端部が一定のプッシャー組立体における同様のインターロック用の端部に連結する。この場合に、一定のコントロール・ワイヤが上記コイルをプッシャー組立体に固定するために上記２個のインターロック用の端部の中を貫通している。さらに、上記のプッシャー組立体および塞栓コイルは初期的に一定のカテーテルの内孔部の中に配置されている。その後、この塞栓コイルが配置のためにカテーテルの端部から押し出される時に、コントロール・ワイヤが後退して、コイルがプッシャー組立体から離脱する。このような配備システムは「デタッチャブル・エンボリック・コイル・アセンブリー（Detachable Embolic Coil Assembly）」を発明の名称とする米国特許第５，９２５，０５９号において開示されている。
【００１０】
さらに別のコイル配備システムは一定のプッシャー部材の先端部分に着脱自在に取り付けられていて一定のコネクター用の糸または繊維によりその位置が保持されている一定の塞栓装置を含む。その後、この繊維は当該コネクター用の繊維を切断するために作動できる一定のカッター部材の中を通る。これにより、このコネクター用の繊維が切断されると、塞栓装置が放出される。このような配備システムは「イントラバスキュラー・デバイス・デプロイメント・メカニズム・インコーポレイテイング・メカニカル・デタッチメント（Intravascular Device Deployment Mechanism Incorporating Mechanical Detachment）」を発明の名称とする米国特許出願公開第２００２／０１６５５６９号において開示されている。
【００１１】
さらに別のコイル配備システムは一定の延伸抵抗部材を内部に伴う一定の塞栓装置を含む。この延伸抵抗部材の先端部は上記塞栓コイルに取り付けられていて、当該延伸抵抗部材の基端部が一定の細長いプッシャー部材に着脱自在に取り付けられていることにより、上記コイルの一定の脈管内における配置および放出を可能にしている。この延伸抵抗部材は接着剤または上記プッシャー部材に接着しているか結び付けられている一定のコネクター用の繊維による等の種々の手段によりプッシャー部材に着脱自在に取り付けられていて、熱の供給により分離できる。このような配備システムは「ストレッチ・レジスタント・セラピューティック・デバイス（Stretch Resistant Therapeutic Device）」を発明の名称とする米国特許出願公開第２００４／００３４３６３号において開示されている。
【００１２】
さらに別のコイル配備システムは一定の脈管のキャビティの中に挿入する一定のプラチナの線または先端部分を含む。この先端部分は延伸可能で柔軟にすることができ、数回にわたりそれ自体を折り重ねることも可能であり、一定の分枝状の形態を有することもできる。さらに、この先端部分は上記ワイヤから機械的にまたは電解による分離を介して分離できる。このようなシステムは米国特許第５，５４０，６８０号、同第５，８９５，３８５号、同第５，９２５，０３７号、および同第５，９７６，１２６号において開示されており、これらは全て「エンドバスキュラー・エレクトロリテイカリー・デタッチャブル・ワイヤ・アンド・ティップ・フォー・ザ・フォーメーション・オブ・スロンバス・イン・アーテリーズ・ベインズ・アニューリズムズ・バスキュラー・マルフォーメーションズ・アンド・アーテリオベナス・フィスチュラズ（Endovascular Electrolytically Detachable Wire and Tip for the Formation of Thrombus in Arteries, Veins, Aneurysms, Vascular Malformations, and Arteriovenous Fisturals）」を発明の名称としている。
【００１３】
さらに別のコイル配備システムは一定の塞栓コイルに連結していてカテーテルの内孔部の中に配置される一定の剛性の波形の端部セグメントを伴う一定のプッシャー・ワイヤを含む。このコイルは一定の脈管の中の所定の部位に到達するまでカテーテルの中を進行し、その到達時にプッシャー・ワイヤが後退して、その塞栓コイルが放出される。このようなシステムが「バソオクルージョン・アパレイタス・ハビング・ア・マニピュラブル・メカニカル・デタッチメント・ジョイント・アンド・ア・メソッド・フォー・ユージング・ジ・アパレイタス（Vasoocclusion Apparatus Having A Manipulable Mechanical Detachment Joint And A Method For Using The Apparatus）」を発明の名称とする米国特許第６，２０３，５４７号において開示されている。
【００１４】
さらに別の塞栓装置配備システムは一定のカテーテルの内孔部の中に摺動自在に配置されている一定の細長い柔軟なプッシャー部材を含む。この塞栓装置は一定の分離用のフィラメントと共に上記プッシャー部材の端部に保持される。この場合に、上記の塞栓装置が脈管の中の所定の部位に進行すると、上記分離用のフィラメントが後退して塞栓装置が放出される。このようなシステムは「エンボリック・デバイス・デプロイメント・システム・ウィズ・フィラメント・リリース（Embolic Device Deployment System with Filament Release）」を発明の名称とする２００５年６月３日に出願されている米国特許出願第      号において開示されている。
【特許文献１】米国特許第５，１０８，４０７号明細書
【特許文献２】米国特許第５，１２２，１３６号明細書
【特許文献３】米国特許第５，３３４，２１０号明細書
【特許文献４】米国特許第５，３８２，２５９号明細書
【特許文献５】米国特許第５，２６３，９６４号明細書
【特許文献６】米国特許第５，３５０，３９７号明細書
【特許文献７】米国特許第５，９２５，０５９号明細書
【特許文献８】米国特許出願公開第２００２／０１６５５６９号明細書
【特許文献９】米国特許出願公開第２００４／００３４３６３号明細書
【特許文献１０】米国特許第５，５４０，６８０号明細書
【特許文献１１】米国特許第５，８９５，３８５号明細書
【特許文献１２】米国特許第５，９２５，０３７号明細書
【特許文献１３】米国特許第５，９７６，１２６号明細書
【特許文献１４】米国特許第６，２０３，５４７号明細書
【特許文献１５】米国特許出願第      号明細書
【発明の開示】
【発明が解決しようとする課題】
【００１５】
本発明は種々の脈管を通して一定の塞栓コイル等のような塞栓装置を移動することに適している一定の塞栓装置を配給するためのカテーテルに基づく新規な配備システムを提供することを目的としている。
【課題を解決するための手段】
【００１６】
本発明は一定の脈管の中の所定の部位に一定の塞栓装置を配置することにおいて使用するための一定の脈管閉塞用の塞栓装置配備システムに関連しており、このシステムは一定の細長い柔軟なカテーテルおよび当該カテーテルの内孔部の中に摺動自在に配置されている一定の細長いプッシャー部材を含む。さらに、このプッシャー部材の先端部に一定の塞栓装置が配置されており、好ましくは、この塞栓装置は一定の貫通孔を伴ってその基端部に連結している一定のヘッドピースを有している。あるいは、上記塞栓装置を貫通している孔は、一定の螺旋状に巻かれている塞栓コイルの形態を採ることができ、その螺旋状の巻線の一つを残りの巻線に対して一定の角度で折り曲げるか一定のループを上記塞栓装置の基端部にはんだ付けすることにより形成されている。
【００１７】
本発明の態様によれば、一定の分離用の繊維は、好ましくはプラチナにより構成されている、一定のＵ字形の先端部分を含み、この先端部分は一定の予備造形された形態を維持するために十分に剛性である。この場合に、この繊維が基端側に引っ張られると、一定の概ね直線状の形態に戻る。また、この分離用の繊維は上記装置の基端部の基端側の一定の位置からそのカテーテルの内孔部の中を通り塞栓装置の方に延在している。さらに、上記Ｕ字形の先端部分は塞栓装置のヘッドピースを貫通している孔に係合しており、上記繊維が基端側に引っ張られると、そのＵ字形の先端部分が直線状になり、塞栓装置が放出されるようになっている。
【００１８】
本発明の別の態様によれば、上記プッシャー部材はこれを貫通する一定の内孔部を含み、上記塞栓装置はそのプッシャー部材の内孔部の先端部の中に摺動自在に配置されている。さらに、一定の突出部が塞栓装置の基端側の一定の位置においてプッシャー部材の内孔部の一定の壁部から内側に延出していて、塞栓装置がそのプッシャー部材の内孔部の中に基端側に摺動することを阻止している。
【００１９】
本発明のさらに別の実施形態において、上記分離用の繊維は上記プッシャー部材の内孔部の中を通り塞栓装置の方に延在している。さらに、上記Ｕ字形の先端部分はプッシャー部材の先端部の内孔部の中に配置されている塞栓装置に係合している。
【００２０】
本発明のさらに別の実施形態によれば、内部を貫通している一定の内孔部を有する一定の解除可能なクランプが上記プッシャー部材の基端部に取り付けられている。さらに、上記分離用の繊維がこのクランプの内孔部の中を貫通していて、そのクランプの解除時に、その分離用の繊維が基端側に引っ張られて塞栓装置が放出される。
【００２１】
上記の本発明の態様およびその利点が以下の本発明の一例の好ましい実施形態の説明および各図面によりさらに明らかに理解できる。
【発明の効果】
【００２２】
従って、本発明によれば、種々の脈管を通して一定の塞栓コイル等のような塞栓装置を移動することに適している一定の塞栓装置を配給するためのカテーテルに基づく新規な配備システムが提供できる。
【発明を実施するための最良の形態】
【００２３】
図１は内部に一定の内孔部１４を有している一定の細長い柔軟なカテーテル１２を含む本発明の一定の塞栓装置配備システム１０におけるＵ字形の分離用の繊維の構成の一例の実施形態を概略的に示している。さらに、一定の基端部１８、先端部２０、および好ましくは内部に貫通している一定の内孔部２２を有する一定の細長い柔軟なプッシャー部材１６が上記カテーテル１２の内孔部１４の中に摺動自在に配置されている。このプッシャー部材１６はニチノールにより構成されているが、この代わりに、ステンレス・スチール、ナイロン、ＰＴＦＥ、およびその他の柔軟な種々の材料、ポリマー、または複合物等のような任意の柔軟で生体適合性の材料により構成できる。
【００２４】
さらに、一定の基端部２６および一定の先端部２８を有していて、好ましくは複数の螺旋状の巻線３０を有する一定の塞栓コイルの形態を採っている一定の塞栓装置２４が上記プッシャー部材１６の先端部２０の内孔部２２の中に配置されている。この塞栓コイル２４はその基端部２６に連結している一定のヘッドピース３２を有しており、このヘッドピースはこれを貫通している一定の孔３４を有している。この代わりに、この孔３４は上記複数の螺旋状の巻線３０の内の１個をその残りの巻線に対して一定の角度で折り曲げるか、一定の付加的なループを塞栓装置２４にその複数の螺旋状の巻線３０に対して一定の角度で溶接することにより構成することも可能である。あるいは、上記塞栓装置は種々の塞栓用のフィラメント、組みひも、拡張可能なメッシュ、発泡体、およびステントの形態を採ることができる。
【００２５】
加えて、突出部３４が塞栓装置２４の基端側の一定の位置においてプッシャー部材１６の内孔部２２の壁部に取り付けられていて、塞栓装置が基端側に移動することを阻止している。好ましくは、これらの突出部３６はプラチナにより構成されていて、プッシャー部材１６の内孔部２２の壁部に接着剤により固定されているか、あるいは、融着している。あるいは、上記塞栓装置２４はさらに一定の基端側部分４０および一定の先端側部分４２を有していて、好ましくはプラチナ、ニチノール、またはその他の柔軟な材料等のような一定の小さなゲージの金属線により構成されている一定の分離用の繊維３８により固定されている。また、好ましくはツオヒー−ボースト・コネクターの形態を採っていて、一定の基端部４６および先端部４８および内部に一定の内孔部を有している一定の解除可能なクランプ４４がプッシャー部材１６の基端部１８に取り付けられていて繊維３８を固定している。
【００２６】
上記分離用の繊維３８の基端側の部分４０は上記クランプ４４の基端部の基端側の一定の位置からそのクランプの内孔部の中を貫通している。その後、この繊維３８はプッシャー部材１６の内孔部２２の中をその基端部１８からその先端部２０まで貫通して、そのプッシャー部材１６の先端部２０における内孔部２２の中に配置されている塞栓装置２４に放出可能に係合している。さらに、この塞栓装置２４のヘッドピース３２の中の孔３４を貫通している分離用の繊維３８の先端部分４２は一定の概ねＵ字形の形態５０に予備造形されている。
【００２７】
上記繊維３８が塞栓コイル２４から時期尚早に分離することを防ぐために、クランプ４４が繊維３８における張力を維持している。さらに、このクランプ４４は分離用の繊維３８の基端側の部分４０に一定の基端側に向く力を加えてその繊維３８を塞栓装置２４のヘッドピース３２の中の孔３４から分離することを可能にするために緩めることができ、これにより、塞栓装置を一定の脈管の中の所定の部位に放出できる。
【００２８】
図２Ａ，２Ｂおよび２Ｃは上記塞栓装置配備システム１０の動作およびそのＵ字形の分離用の繊維の放出機構を概略的に示している。特に、図２Ａはプッシャー部材１６がカテーテル１２の中を進行して一定の脈管の中の所定の部位に到達した後の塞栓装置配備システム１０の先端部を示している。この場合に、分離用の繊維３８はプッシャー部材１６の内孔部２２の中を通りその先端部２０に向かって延在している。さらに、このプッシャー部材１６の先端部２０において、分離用の繊維３８の先端側の部分４２はＵ字形の形態５０で塞栓装置２４におけるヘッドピース３２の中の孔３４の中を貫通している。このＵ字形の形態５０はその基端側の部分により基端側に引っ張られてそのＵ字形の形態５０が直線状になるまでその予備造形されたＵ字形の形態を維持するために十分に剛性であると言う特性を示す一定の材料により形成されている。また、上記配備システム１０の全体的な柔軟性を高めるために、上記Ｕ字形の形態５０の基端側における分離用の繊維３８の部分はその基端側の部分４０からその先端側の部分４２にかけて当該繊維３８をテーパー状にすることにより形成した可変の剛性の材料により構成することも可能である。
【００２９】
図２Ｂは上記分離用の繊維３８が塞栓装置２４におけるヘッドピース３２の中の孔３４から部分的に離脱するように一定の基端側の方向の力がその分離用の繊維３８に加えられた後の塞栓装置配備システム１０を示している。この場合に、上記Ｕ字形の形態５０は基端側の方向の力が加えられるのに従って直線状になる。
【００３０】
図２Ｃは分離用の繊維３８がさらに基端側に引っ張られている状態の塞栓装置配備システム１０を示している。この場合に、Ｕ字形の形態５０は変形して直線状になっていて、塞栓装置２４を一定の脈管の中の所定の治療部位に放出している。
【００３１】
明らかに、上記の好ましいと考えられる実施形態の多数の変更例が存在し、これらの変更例は、例えば、多数のコイル巻線の形態を含む上記塞栓装置の多くの変形例および変更例あるいは別の種類の種々の移植装置等のように、当業界における熟練者において容易に明らかになる。また、上記分離用の繊維の先端部分の材料および形態ならびに当該分離用の繊維の基端側の部分の材料および柔軟性においても種々の変形例が存在する。加えて、上記のコネクターまたは上記分離用の繊維を保持する方法においても種々の変形例が存在すると考えられる。これらの変更例は本発明が関連する当業界における通常の熟練者において明らかになると考えられ、以下の特許請求の各項の範囲内であると考えられる。
【産業上の利用可能性】
【００３２】
本発明は一定の脈管の中の所定の部位に一定の塞栓装置を配置することにおいて使用するための一定の脈管閉塞用の塞栓装置配備システムに適用できる。
【００３３】
本発明の具体的な実施態様は以下のとおりである。
（１）一定の血管の中の所定の部位に一定の塞栓装置を配置することにおいて使用するための脈管閉塞用の塞栓装置配備システムにおいて、
基端部および先端部および内部に延在している一定の内孔部を有する一定の細長い柔軟なカテーテル、
基端部および先端部および内部に延在している一定の内孔部を有していて前記カテーテルの内孔部の中に摺動自在に配置されている一定の細長いプッシャー部材、
基端部および先端部を有していて、その基端部の中に配置されている一定のヘッドピースを有する一定の塞栓装置を備えており、このヘッドピースがその中を通る一定の孔を有していて、前記プッシャー部材の先端部の中に摺動自在に配置されており、さらに
一定の細長い分離用の繊維を備えており、この分離用の繊維が一定の予備造形された形態を維持するために十分に剛性であるが基端側に引っ張られる時に一定の概ね直線状の形態に戻る一定の先端側の部分を含み、この分離用の繊維の先端部分が一定の概ねＵ字形の形態に形成されており、この分離用の繊維が前記プッシャー部材の基端部の基端側の一定の位置から当該プッシャー部材の内孔部の中を貫通していて前記塞栓装置のヘッドピースの中の孔を貫通しているＵ字形の先端部分を有しており、これにより、この分離用の繊維が、当該分離用の繊維が基端側に引っ張られる時にそのＵ字形の先端部分が直線状になって前記塞栓装置を放出するように、その塞栓装置に連結している脈管閉塞用の塞栓装置配備システム。
（２）内部に延在している一定の内孔部を有する一定の解除可能なクランプが前記プッシャー部材の基端部に取り付けられていて、前記分離用の繊維がそのクランプの内孔部の中を貫通しており、そのクランプの解除時に、前記分離用の繊維を基端側に引っ張ることにより前記塞栓装置を放出できる実施態様１に記載の脈管閉塞用の塞栓装置配備システム。
（３）一定の突出部が前記塞栓装置の基端側の一定の位置において前記プッシャー部材の内孔部の一定の壁部から内側に延出していて前記塞栓装置が基端側に移動することを阻止する実施態様１に記載の脈管閉塞用の塞栓装置配備システム。
（４）前記分離用の繊維の先端部分がプラチナにより構成されている実施態様１に記載の脈管閉塞用の塞栓装置配備システム。
（５）前記分離用の繊維が一定の可変の剛性材料により構成されている実施態様１に記載の脈管閉塞用の塞栓装置配備システム。
【００３４】
（６）一定の血管の中の所定の部位に一定の塞栓装置を配置することにおいて使用するための脈管閉塞用の塞栓装置配備システムにおいて、
基端部および先端部および内部に延在している一定の内孔部を有する一定の細長い柔軟なカテーテル、
基端部および先端部および内部に延在している一定の内孔部を有していて前記カテーテルの内孔部の中に摺動自在に配置されている一定の細長いプッシャー部材、
基端部および先端部を有していて前記プッシャー部材の先端部の中に摺動自在に配置されている一定の塞栓装置、および
一定の分離用の繊維を備えており、この分離用の繊維が当該繊維に一定の外部の引張力が加えられるまで一定の予備造形された形態を維持する特性を示す一定の先端部分を有しており、この分離用の繊維が前記細長いプッシャー部材の内孔部の中を貫通していて一定のＵ字形の形態に予備造形されている一定の先端部分を有しており、このＵ字形の先端部分が、前記繊維が基端側に引っ張られる時にそのＵ字形の先端部分が直線状になって前記塞栓装置を放出するように、前記塞栓装置に放出可能に連結している脈管閉塞用の塞栓装置配備システム。
（７）前記塞栓装置が内部に一定の孔を有していて当該塞栓装置の基端部に連結している一定のヘッドピースを含み、前記分離用の繊維が前記プッシャー部材の基端部の基端側の一定の位置から、当該プッシャー部材の内孔部の中を貫通しており、前記Ｕ字形の先端部が前記塞栓装置のヘッドピースの中の孔を貫通していることにより前記分離用の繊維をその塞栓装置に連結している実施態様６に記載の脈管閉塞用の塞栓装置配備システム。
（８）内部に延在している一定の内孔部を有する一定の解除可能なクランプが前記プッシャー部材の基端部に取り付けられていて、前記分離用の繊維がそのクランプの内孔部の中を貫通しており、そのクランプの解除時に、前記分離用の繊維を基端側に引っ張ることにより前記塞栓装置を放出できる実施態様６に記載の脈管閉塞用の塞栓装置配備システム。
（９）一定の突出部が前記塞栓装置の基端側の一定の位置において前記プッシャー部材の内孔部の一定の壁部から内側に延出していて前記塞栓装置が基端側に移動することを阻止する実施態様６に記載の脈管閉塞用の塞栓装置配備システム。
（１０）前記繊維の先端部分がプラチナにより構成されている実施態様６に記載の脈管閉塞用の塞栓装置配備システム。
【００３５】
（１１）前記分離用の繊維が一定の可変の剛性材料により構成されている実施態様６に記載の脈管閉塞用の塞栓装置配備システム。
（１２）一定の血管の中の所定の部位に一定の塞栓装置を配置することにおいて使用するための脈管閉塞用の塞栓装置配備システムにおいて、
基端部および先端部および内部に延在している一定の内孔部を有する一定の細長い柔軟なカテーテル、
基端部および先端部を有していて前記カテーテルの内孔部の中に摺動自在に配置されている一定の細長いプッシャー部材、
基端部および先端部を有していて前記プッシャー部材の先端部に配置されている一定の塞栓装置、および
一定の分離用の繊維を備えており、この分離用の繊維が当該繊維に一定の外部の引張力が加えられるまで一定の予備造形された形態を維持する特性を示す一定の先端部分を有しており、この分離用の繊維が前記カテーテルの内孔部の中を貫通していて一定のＵ字形の形態に予備造形されている一定の先端部分を有しており、このＵ字形の先端部分が、前記繊維が基端側に引っ張られる時にそのＵ字形の先端部分が直線状になって前記塞栓装置を放出するように、前記塞栓装置に放出可能に連結している脈管閉塞用の塞栓装置配備システム。
（１３）前記細長い柔軟なプッシャー部材がその内部に延在している一定の内孔部を含み、前記塞栓装置が前記プッシャー部材の先端部の中に摺動自在に配置されており、前記分離用の繊維が前記プッシャー部材の基端部の基端側の一定の位置から当該プッシャー部材の内孔部の中を通り前記塞栓装置に向かって延在しており、その分離用の繊維のＵ字形の先端部分が前記塞栓装置に係合している実施態様１２に記載の脈管閉塞用の塞栓装置配備システム。
（１４）前記塞栓装置が内部に一定の孔を有していて当該塞栓装置の基端部に連結している一定のヘッドピースを含み、前記分離用の繊維が前記プッシャー部材の基端部の基端側の一定の位置から、当該プッシャー部材の内孔部の中を貫通しており、前記Ｕ字形の先端部が前記塞栓装置のヘッドピースの中の孔を貫通していることにより前記分離用の繊維をその塞栓装置に連結している実施態様１２に記載の脈管閉塞用の塞栓装置配備システム。
（１５）内部に延在している一定の内孔部を有する一定の解除可能なクランプが前記プッシャー部材の基端部に取り付けられていて、前記分離用の繊維がそのクランプの内孔部の中を貫通しており、そのクランプの解除時に、前記分離用の繊維を基端側に引っ張ることにより前記塞栓装置を放出できる実施態様１２に記載の脈管閉塞用の塞栓装置配備システム。
【００３６】
（１６）一定の突出部が前記塞栓装置の基端側の一定の位置において前記プッシャー部材の内孔部の一定の壁部から内側に延出していて前記塞栓装置が基端側に移動することを阻止する実施態様１３に記載の脈管閉塞用の塞栓装置配備システム。
（１７）前記塞栓装置が内部に一定の孔を有していて当該塞栓装置の基端部に連結している一定のヘッドピースを含み、前記分離用の繊維がその中を移動する実施態様１２に記載の脈管閉塞用の塞栓装置配備システム。
（１８）前記分離用の繊維の先端部分がプラチナにより構成されている実施態様１２に記載の脈管閉塞用の塞栓装置配備システム。
（１９）前記分離用の繊維が一定の可変の剛性材料により構成されている実施態様１２に記載の脈管閉塞用の塞栓装置配備システム。
（２０）前記塞栓装置が一定の塞栓コイルの形態を採っている実施態様１２に記載の脈管閉塞用の塞栓装置配備システム。
【００３７】
（２１）前記塞栓コイルが螺旋状に巻かれている実施態様２０に記載の脈管閉塞用の塞栓装置配備システム。
（２２）前記塞栓コイルの一定のループが一定の角度で折り曲げられてそのコイルの中に一定の孔が形成されていて、前記分離用の繊維がその中を移動する実施態様２１に記載の脈管閉塞用の塞栓装置配備システム。
【図面の簡単な説明】
【００３８】
【図１】本発明による一例の塞栓装置配備システムの実施形態の拡大した部分断面図である。
【図２】（Ａ）、（Ｂ）および（Ｃ）はそれぞれ、図１において示されているコイル配備システムの先端部の拡大した部分断面図であり、塞栓装置の進行、分離用の繊維の除去、および塞栓装置の放出における連続的な工程を示している。
【符号の説明】
【００３９】
１０  塞栓装置配置システム
１２  カテーテル
１４  内孔部
１６  プッシャー部材
１８  基端部
２０  先端部
２２  内孔部
２４  塞栓装置
２６  基端部
２８  先端部
３０  螺旋状の巻線
３２  ヘッドピース
３４  貫通孔
３６  突出部
３８  分離用の繊維
４０  基端部
４２  先端部
４４  クランプ
４６  基端部
４８  先端部
５０  Ｕ字形の形態
【図１】
2006051349.tif 000003
【図２】
2006051349.tif 000004
【外国語明細書】
2006051349000001.pdf